(57)【要約】  一の情報処理装置が、他の情報処理装置を特定するためのアドレスデータを、対応するアドレスレベルに変換し、一の情報処理装置が、前記アドレスレベルと、他の情報処理装置に対する実データとを有する送信信号を送信し、他の情報処理装置が、一の情報処理装置から送信された前記送信信号が有するアドレスレベルに基づき、当該アドレスレベルが当該他の情報処理装置を特定するためのものであるか否かを判断した上で前記送信信号が有する実データを受け付ける構成を有する。
2009084107.tif 000002
【特許請求の範囲】
【請求項１】
複数の情報処理装置が相互にデータ送受信可能に接続されてなる情報処理システムにおける、前記複数の情報処理装置のうちの一の情報処理装置であって、
前記複数の情報処理装置のうちの他の情報処理装置を特定するためのアドレスデータを対応するアドレスレベルに変換するアドレスデータ変換手段と、
前記アドレスデータ変換手段により得られた前記アドレスレベルの情報と、前記他の情報処理装置に対する実データとを有する送信信号を送信する送信手段とを有し、
前記他の情報処理装置は、
前記一の情報処理装置から送信された前記送信信号が有するアドレスレベルの情報に基づき当該アドレスレベルが当該他の情報処理装置を特定するためのものであるか否かを判断する判断手段と、
前記判断手段が、前記受信した送信信号が有するアドレスレベルが当該他の情報処理装置を特定するためのものであると判断した場合前記送信信号が有する実データを受け付けるデータ受付手段と
を有してなる
情報処理装置。
【請求項２】
前記送信信号は光信号よりなり、前記他の情報処理装置を特定するためのアドレスデータに対応するアドレスレベルは当該光信号の強度レベルに対応する請求項１に記載の情報処理装置。
【請求項３】
前記他の情報処理装置は磁気ディスク装置を有し、
前記送信信号が有する実データは、当該磁気ディスク装置のディスク状情報記録媒体に対する書き込みデータよりなる
請求項１に記載の情報処理装置。
【請求項４】
前記送信信号は、前記他の情報処理装置を特定するためのアドレスデータに対応するアドレスレベルと、当該他の情報処理装置に対する実データを示す信号のレベルとが加算されたものとされてなる
請求項１に記載の情報処理装置。
【請求項５】
複数の情報処理装置が相互にデータ送受信可能に接続されてなる情報処理システムにおける、前記複数の情報処理装置のうちの一の情報処理装置であって、
前記複数の情報処理装置のうちの他の情報処理装置から送信される送信信号が有するアドレスレベルの情報に基づき、当該アドレスレベルが当該一の情報処理装置を特定するためのものであるか否かを判断する判断手段と、
前記判断手段が前記受信した送信信号が有するアドレスレベルが当該一の情報処理装置を特定するためのものであると判断した場合、前記送信信号が有する実データを受け付けるデータ受付手段とを有してなり、
前記他の情報処理装置は、
前記一の情報処理装置を特定するためのアドレスデータを対応するアドレスレベルに変換するアドレスデータ変換手段と、
前記アドレスデータ変換手段により得られた前記アドレスレベルの情報と前記他の情報処理装置に対する実データとを有する前記送信信号を送信する送信手段とを有してなる
情報処理装置。
【請求項６】
前記送信信号は光信号よりなり、当該一の情報処理装置を特定するためのアドレスデータに対応するアドレスレベルは当該光信号の強度レベルに対応する請求項５に記載の情報処理装置。
【請求項７】
磁気ディスク装置を有し、
前記他の情報処理装置が送信する送信信号が有する実データは、当該磁気ディスク装置のディスク状情報記録媒体に対する書き込みデータよりなる
請求項５に記載の情報処理装置。
【請求項８】
前記他の情報処理装置の送信手段から送信される送信信号は、当該一の情報処理装置を特定するためのアドレスデータに対応するアドレスレベルと、当該一の情報処理装置に対する実データとが加算されたものとされてなる
請求項５に記載の情報処理装置。
【請求項９】
前記判断手段は、前記アドレスレベルを、互いに異なる複数の基準レベルのそれぞれと比較するための複数の比較器であって、前記互いに異なる複数の基準レベルは、情報処理装置を特定するためのアドレスデータに対応するアドレスレベルのうち、互いに隣接するレベル相互間のレベルとされてなる複数の比較器を有し、前記複数の比較器の比較出力に基づき、前記アドレスレベルが当該一の情報処理装置を特定するためのものか否かを判断する構成とされてなる
請求項５に記載の情報処理装置。
【請求項１０】
更に他の情報処理装置を特定するためのアドレスデータに対応するアドレスレベルであって、当該一の情報処理装置を特定するためのアドレスデータに対応するアドレスレベルに隣接するアドレスレベルを使用することにより、前記判断手段の比較器が有する基準レベルを調整する調整手段を有する
請求項９に記載の情報処理装置。
【請求項１１】
複数の情報処理装置が相互にデータ送受信可能に接続されてなる情報処理システムにおいて、前記複数の情報処理装置のうちの一の情報処理装置が他の情報処理装置にアクセスするための方法であって、
前記一の情報処理装置が、他の情報処理装置を特定するためのアドレスデータを、対応するアドレスレベルに変換するアドレスデータ変換段階と、
前記一の情報処理装置が、前記アドレスデータ変換段階で得られた前記アドレスレベルの情報と、前記他の情報処理装置に対する実データとを有する送信信号を送信する送信段階と、
前記他の情報処理装置が、前記一の情報処理装置から送信された前記送信信号が有するアドレスレベルの情報に基づき、当該アドレスレベルが当該他の情報処理装置を特定するためのものであるか否かを判断する判断段階と、
前記他の情報処理装置が、前記判断段階で、前記受信した送信信号が有するアドレスレベルが当該他の情報処理装置を特定するためのものであると判断した場合、前記送信信号が有する実データを受け付けるデータ受付段階とよりなる
情報処理装置のアクセス方法。
【請求項１２】
前記送信段階で送信される送信信号は光信号よりなり、前記他の情報処理装置を特定するためのアドレスデータに対応するアドレスレベルは当該光信号の強度レベルに対応する請求項１１に記載の情報処理装置のアクセス方法。
【請求項１３】
前記他の情報処理装置は磁気ディスク装置を有し、
前記送信段階で送信される送信信号が有する実データは、前記磁気ディスク装置のディスク状情報記録媒体に対する書き込みデータよりなる
請求項１１に記載の情報処理装置のアクセス方法。
【請求項１４】
前記送信段階で送信される送信信号は、前記他の情報処理装置を特定するためのアドレスデータに対応するアドレスレベルと、当該他の情報処理装置に対する実データとが加算されたものとされてなる
請求項１１に記載の情報処理装置のアクセス方法。
【請求項１５】
前記判断段階では、前記アドレスレベルを、互いに異なる複数の基準レベルとそれぞれ比較する複数の比較器であって、前記互いに異なる複数の基準レベルは、情報処理装置を特定するためのアドレスデータに対応するアドレスレベルのうち、互いに隣接するレベル相互間のレベルとされてなる複数の比較器の比較出力に基づき、前記アドレスレベルが当該他の情報処理装置を特定するためのものか否かを判断する
請求項１１に記載の情報処理装置のアクセス方法。
【請求項１６】
前記他の情報処理装置が、更に他の情報処理装置を特定するためのアドレスデータに対応するアドレスレベルであって、当該他の情報処理装置を特定するためのアドレスデータに対応するアドレスレベルに隣接するアドレスレベルを使用することにより、前記比較器が有する基準レベルを調整する調整段階を有する
請求項１５に記載の情報処理装置のアクセス方法。
【請求項１７】
複数の情報処理装置が相互にデータ送受信可能に接続されてなる情報処理システムにおける、前記複数の情報処理装置のうちの一の情報処理装置の動作を制御するためのプログラムであって、コンピュータを
前記複数の情報処理装置のうちの他の情報処理装置から送信される送信信号が有するアドレスレベルの情報に基づき、当該アドレスレベルが当該一の情報処理装置を特定するためのものであるか否かを判断する判断手段と、
前記判断手段が、前記アドレスレベルが当該一の情報処理装置を特定するためのものであると判断した場合、前記送信信号が有する実データを受け付けるデータ受付手段として機能させるためのプログラムであって、
前記他の情報処理装置は、前記一の情報処理装置を特定するためのアドレスデータを、対応するアドレスレベルに変換するアドレスデータ変換手段と、前記アドレスデータ変換手段により得られた前記アドレスレベルの情報と、前記他の情報処理装置に対する実データとを有する前記送信信号を送信する送信手段とを有してなる
プログラム。
【請求項１８】
前記送信信号は光信号よりなり、当該一の情報処理装置を特定するためのアドレスデータに対応するアドレスレベルは当該光信号の強度レベルに対応する請求項１７に記載のプログラム。
【請求項１９】
前記一の情報処理装置は磁気ディスク装置を有し、
前記他の情報処理装置が送信する送信信号が有する実データは、当該磁気ディスク装置のディスク状情報記録媒体に対する書き込みデータよりなる
請求項１７に記載のプログラム。
【請求項２０】
前記他の情報処理装置の送信手段から送信される送信信号は、当該一の情報処理装置を特定するためのアドレスデータに対応するアドレスレベルと、当該一の情報処理装置に対する実データとが加算されたものとされてなる
請求項１７に記載のプログラム。
【発明の詳細な説明】
【技術分野】
【０００１】
本発明は情報処理装置、情報処理装置のアクセス方法及び同方法をコンピュータに実行させるためのプログラムに係り、特に相互にデータ送受信可能に接続されてなる情報処理システムにおける情報処理装置、その情報処理装置のアクセス方法及び同方法をコンピュータに実行させるためのプログラムに関する。
【背景技術】
【０００２】
複数の情報処理装置が相互にデータ送受信可能に接続された情報処理システムにおける情報処理装置として、例えば磁気ディスク装置（すなわち例えばハードディスク装置）等を有する磁気ディスク記録再生装置が複数台、通信回線を介して上位の磁気ディスクコントローラ装置に接続されたシステムを想定する。【０００３】
当該システムにおいて上位の磁気ディスクコントローラ装置から特定の磁気ディスク記録再生装置にアクセスするような場合、上位の磁気ディスクコントローラ装置はアクセスする磁気ディスク記録再生装置固有のアドレスを指定して信号を送信し、それに対する信号を受信することにより当該磁気ディスク記録再生装置がアクセス可能な状態にあるか否かを確認する。このように相手側の磁気ディスク記録再生装置がアクセス可能な状態であることを確認後、上位の磁気ディスクコントローラ装置は当該磁気ディスク記録再生装置に対し、通信回線を利用した情報の読み出し或いは書き込みの動作を行う。【０００４】
このような場合、従来技術によれば上位の磁気ディスクコントローラ装置はアクセスしたい磁気ディスク記録再生装置固有のアドレスを先に送信し、当該磁気ディスク記録再生装置が上位の磁気ディスクコントローラ装置に対してデータの受付が可能な旨を示す信号を送信する。上位の磁気ディスクコントローラ装置では当該磁気ディスク記録再生装置から送信された信号を受信して当該磁気ディスク記録再生装置がデータの受付けが可能であることを確認してから実際のデータの送受信を行っていた。【０００５】
すなわち上位の磁気ディスクコントローラ装置は磁気ディスク記録再生装置に対するデータの送受信を行ってデータの書き込み或いは読み出し動作を行うに先立ち、当該磁気ディスク記録再生装置のアドレスのデータ（以下単にアドレスデータと称する）を当該磁気ディスク記録再生装置に転送する必要があり、そのための時間が必要であった。【０００６】
アドレスデータを転送するために必要な時間はその後に行う実際のデータの送受信であって磁気ディスク記録再生装置に対するデータの読み出し或いは書き込みに係るデータ（以下単に実データと称する）の送受信の時間が比較的長い場合には相対的に短い時間でありそれほど深刻な問題とはならないものの、実データの送受信の時間が比較的短く且つ当該動作を多数回に渡って行うような場合、その都度アドレスデータを転送する必要があるため、アドレスデータの転送に要される時間は無視できないものとなり、その時間の短縮が望まれる。
【特許文献１】特許第３０２４４４４号
【特許文献２】実用新案登録第２５１５３２０号
【発明の開示】
【発明が解決しようとする課題】
【０００７】
本発明は上記問題点に鑑みてなされたものであり、複数の情報処理装置が相互にデータ送受信可能に接続されてなる情報処理システムにおいて、相手方の情報処理装置を特定するためのアドレスデータの送信に要される時間を効果的に短縮し得る構成を提供することを目的とする。
【課題を解決するための手段】
【０００８】
本発明によれば、複数の情報処理装置が相互にデータ送受信可能に接続されてなる情報処理システムにおいて、前記複数の情報処理装置のうちの一の情報処理装置が、他の情報処理装置を特定するためのアドレスデータを対応するアドレスレベルに変換し、このようにして得られたアドレスレベルの情報と前記他の情報処理装置に対する実データとを有する送信信号を送信する。前記他の情報処理装置は、前記一の情報処理装置から送信された前記送信信号が有するアドレスレベルに基づき、当該アドレスレベルが当該他の情報処理装置を特定するためのものであるか否かを判断し、前記受信した送信信号が有するアドレスレベルが当該他の情報処理装置を特定するためのものであると判断した場合、前記送信信号が有する実データを受け付ける。【０００９】
このように、本発明では相手方の情報処理装置を特定するためのアドレスデータを対応するアドレスレベルに変換し、このようにして得られたアドレスレベルと前記他の情報処理装置に対する実データとを有する送信信号を送信する構成とした。この構成では相手方の情報処理装置を特定するためのアドレスデータを、従来使用されていたビット信号に代えてアドレスレベルの形態で送信する。【００１０】
ビット信号によるアドレスデータの場合、アドレスデータを表す複数のビットのデータを転送するために時間が要される。これに対し本発明における如くアドレスデータを対応するアドレスレベルに変換し、当該アドレスレベルを送信信号に含めて送信するため、相手方の情報処理装置を特定する信号を送信するのに要される時間を効果的に短縮することができる。【００１１】
又本発明によれば、前記他の情報処理装置は、前記一の情報処理装置から送信された前記送信信号が有するアドレスレベルに基づき、当該アドレスレベルが当該他の情報処理装置を特定するためのものであるか否かを判断し、前記受信した送信信号が有するアドレスレベルが当該他の情報処理装置を特定するためのものであると判断した場合、前記送信信号が有する実データを受け付ける。
【発明の効果】
【００１２】
このように本発明によればデータを転送する相手方の情報処理装置を特定する信号として、当該相手方の情報処理装置を特定するアドレスデータから得られるアドレスレベルを使用するため、当該相手方の情報処理装置を特定する信号を送信するのに要される時間を効果的に短縮し得る。
【図面の簡単な説明】
【００１３】
【図１】本発明の一実施例による情報処理システムの概要を説明するためのブロック図である。
【図２】図１に示されている磁気ディスクコントローラ装置及び各磁気ディスク記録再生装置の双方における、データの送信に係る構成を説明するためのブロック図である。
【図３】図１に示されている磁気ディスクコントローラ装置及び各磁気ディスク記録再生装置の双方における、データの受信に係る構成を説明するためのブロック図である。
【図４】図１に示されている各磁気ディスク記録再生装置における受信に係るデモジュレータであって、レーザ光が有するパルス信号からシリアルデータ、同期信号及びアドレスレベルを分離する機能、並びにアドレスレベルから該当する磁気ディスク記録再生装置を特定する機能について説明するための回路図である。
【図５】比較のために示す、従来技術による情報処理装置のアクセス方法において、アクセス元としての磁気ディスクコントローラ装置における信号のタイムチャートを示す。
【図６】本発明の実施例による情報処理システムにおける情報処理装置のアクセス方法において、アクセス元としての磁気ディスクコントローラ装置における信号のタイムチャートを示す。
【図７】本発明の実施例による情報処理システムにおいて、複数の磁気ディスク記録再生装置に対し順次アクセスする際の様子を説明するためのタイムチャートである。
【図８】本発明の実施例による情報処理システムにおいて、同システムの電源投入時のキャリブレーション動作の流れを説明するための動作フローチャートである。
【図９】本発明の実施例による情報処理システムにおいて、エラー検出時のキャリブレーション動作の流れを説明するための動作フローチャートである。
【図１０】図９に示されているエラー検出時のキャリブレーション動作を説明するためのタイムチャートである。
【図１１】本発明の実施例による情報処理システムにおける磁気ディスクコントローラ装置及び各磁気ディスク記録再生装置の各々における磁気ディスクコントロールＬＳＩが搭載するコンピュータの構成について説明するためのハードウェアブロック図である。
【符号の説明】
【００１４】
８１，３３５  モジュレータ及びデモジュレータ
８２、１１０、２１０  磁気ディスクコントロールＬＳＩ
８３  磁気ディスク装置
３３０  磁気ディスクコントローラ装置
３５０、３５０−１〜３５０−ｎ  磁気ディスク記録再生装置
【発明を実施するための最良の形態】
【００１５】
本発明の実施例につき、以下に詳細に説明する。【００１６】
本発明の実施例によれば、複数の情報処理装置が相互にデータ転送可能に接続された情報処理システムにおいて、データ転送の相手方を特定するためのアドレスデータの転送に要する時間を短縮するため、合理的な方法で信号を送ることを可能にするレーザ光のレベルそのものとアドレスレベルとして使用することにより、アドレスデータの転送時間を短縮することが可能である。【００１７】
本発明の実施例では、光ファイバーインターフェースを介し、例えば光ファイバによる通信回線に複数台接続された各々が情報処理装置としての磁気ディスク記録再生装置と磁気ディスクコントローラ装置とを有する構成において、磁気ディスクコントローラ装置が各磁気ディスク記録再生装置を特定して実データを転送する場合、レーザ光の出力レベルを変えることにより任意の磁気ディスク記録再生装置を特定する。【００１８】
すなわち上位の磁気ディスクコントローラ装置にて、例えば光転送路としての光ファイバに対して出力するレーザ光の出力レベルを、予め設定された、各磁気ディスク記録再生装置のアドレスに対応するアドレスレベルとし、当該アドレスレベルにより磁気ディスク記録再生装置を特定してアクセスする。そのために、磁気ディスク記録再生装置及び上位の磁気ディスクコントローラ装置の双方に、送信に係る光変調器及び光発信器（例えば半導体レーザ等）を含むモジュレータ、並びに受信に係る光受信器及び復調器を含むデモジュレータを設け、磁気ディスクコントローラ装置と各磁気ディスク記録再生装置との間の双方向での実データのやり取りを可能とする。【００１９】
図１は本発明の実施例による情報処理システムの構成を示すブロック図である。【００２０】
本発明の実施例のよる情報処理システムは、図１に示される如く、最上位のＣＰＵの配下にチャネルが接続されてなる装置３１０，同装置３１０によって制御される磁気ディスクコントローラ装置３３０，磁気ディスクコントローラ装置３３０との間で光ファイバによる光転送路１５０を介して相互にデータ送受信可能に接続された複数の磁気ディスク記録再生装置３５０−１，３５０−２，．．，３５０−ｎ（以下総称して磁気ディスク記録再生装置３５０と称する場合がある）を有する。【００２１】
磁気ディスクコントローラ装置３３０は上記の如く、送信に係る光変調器を有するモジュレータ及び受信に係る光復調器を有するデモジュレータ３３５を有する。これらモジュレータ及びデモジュレータ３３５は、その配下の磁気ディスク記録再生装置３５０との間で，上記光転送路１５０を介したデータの送受信を可能とするための機能を提供する。【００２２】
各磁気ディスク記録再生装置３５０も同様に送信に係る光変調器を有するモジュレータ及び受信に係る光復調器を有するデモジュレータ８１，磁気ディスクコントロールＬＳＩ、８２並びに磁気ディスク装置８３を有する。これらモジュレータ及びデモジュレータ８１は、その上位の磁気ディスクコントローラ装置３３０との間で，上記光転送路１５０を介したデータの送受信を可能とするための機能を提供する。【００２３】
図２は、上記磁気ディスクコントローラ装置３３０及び各磁気ディスク記録再生装置３５０の双方における、送信に係るモジュレータの構成を説明するためのブロック図である。【００２４】
図２中、上記磁気ディスクコントローラ装置３３０及び各磁気ディスク記録再生装置３５０の双方には、磁気ディスクコントロールＬＳＩ、１１０（各磁気ディスク記録再生装置３５０においては磁気ディスクコントロールＬＳＩ、８１が該当する）、デコーダ１２１，レベル変換器１２２，加算器１２３，レーザドライバ１３１，半導体レーザ１３２が設けられる。これらのうち、デコーダ１２１，レベル変換器１２２，加算器１２３，レーザドライバ１３１及び半導体レーザ１３２が上記モジュレータに含まれる。【００２５】
この構成によれば、磁気ディスクコントローラ装置３３０及び各磁気ディスク記録再生装置３５０のそれぞれにおいて、磁気ディスクコントロールＬＳＩ、１１０から、シリアルデータ（すなわち実データ）、アドレスデータを有するアドレス信号及び同期信号が出力される。【００２６】
アドレス信号はデコーダ１２１でデコーダパルス信号に変換され、更にレベル変換回路１２２で、前記アドレスデータに対応するアドレスレベルに変換される。このアドレスレベルは加算器１２３で上記シリアルデータ及び同期信号と加算される。具体的には、例えば後述する図６に示す如く、シリアルデータを示すパルス信号のレベル（図６（ｃ））にアドレスレベル（図６（ｂ））が加算され、又同期信号（図６（ｄ））のパルスのタイミングで加算器１２３の出力レベルがゼロとされることにより、図６（ａ）に示される如くの波形が得られる。【００２７】
この加算器１２３で得られた信号のレベルに応じてレーザドライバ１３１が半導体レーザ１３２を駆動することで、図６（ａ）に示される如くの波形の光強度を有するレーザ光が半導体レーザ１３２から出力される。【００２８】
図３は、上記磁気ディスクコントローラ装置３３０及び各磁気ディスク記録再生装置３５０の双方における、受信に係るデモジュレータの構成を説明するためのブロック図である。【００２９】
図３に示す如く、上記磁気ディスクコントローラ装置３３０及び各磁気ディスク記録再生装置３５０の双方には、レーザ受光素子２３０，デコーダ２２０及び磁気ディスクコントロールＬＳＩ、２１０（各磁気ディスク記録再生装置３５０においては磁気ディスクコントロールＬＳＩ、８１が該当する）が設けられる。これらのうち、レーザ受光素子２３０及びデコーダ２２０が上記でモジュレータに含まれる。【００３０】
この構成によれば、磁気ディスクコントローラ装置３３０及び各磁気ディスク記録再生装置３５０のそれぞれにおいて、光転送路１５０を介して受光されたレーザ光がレーザ受光素子２３０で電気信号に変換されてパルス信号が得られる。このパルス信号からデコーダ２２０の分別機能により、上記シリアルデータ、アドレスレベル及び同期信号が得られ、これらが磁気ディスクコントロールＬＳＩ、２１０に入力される。【００３１】
図４は、一例として、各磁気ディスク記録再生装置３５０における上記受信に係るデモジュレータの機能であって、上記の如くレーザ受光素子２３０によって得られる受光されたレーザ光が有するパルス信号からシリアルデータ、同期信号及びアドレスレベルを分離する機能、並びにアドレスレベルから各磁気ディスク記録再生装置３５０を特定する機能について説明するための回路図である。【００３２】
図４に示す如く、レーザ受光素子２３０から得られたパルス信号（すなわち図中、レーザ受光素子出力）は微分回路５０及び積分回路６０に入力される。微分回路５０はコンデンサ５１，抵抗５２，５３及び演算増幅器５４よりなり、レーザ受光素子２３０から得られたパルス信号の直流成分を除去する機能を有する。又積分回路６０は抵抗６１，コンデンサ６２，演算増幅器５４，抵抗６４，６６及びコンデンサ６５よりなり、レーザ受光素子２３０から得られたパルス信号の直流成分を抽出する機能を有する。これら微分回路５０及び積分回路６０のそれぞれの動作及び機能はそれぞれ周知の微分回路及び積分回路の動作及び機能と同様でありその説明を省略する。【００３３】
微分回路５０の出力は同期信号分離回路８０に入力される。同期信号分離回路８０は抵抗８１〜８３及びコンパレータ８４，８５よりなり、微分回路５０から供給されたパルス信号を、比較的レベルの高いシリアルデータの成分と比較的レベルが低い同期信号とに分離する機能を有する。【００３４】
レーザ受光素子２３０の出力は図６（ａ）に示される如く、各磁気ディスク記録再生装置３５０に対し送出されたシリアルデータの成分と、シリアルデータの転送のためのアクセス先を異なる磁気ディスク記録再生装置間で切り替えるタイミングを示す同期信号の成分とを含むが、シリアルデータの成分に比して同期信号の成分のレベルは低い。これは図２とともに上記したように、送信の際、加算器１２３の出力が同期信号のタイミングでゼロとされるためである。このため同期信号分離回路８０において、微分回路５０によって直流成分が除去された信号から、そのレベル差によって同期信号を分離することができる。【００３５】
又図４に示す如く、磁気ディスクコントローラ装置３３０及び各磁気ディスク記録再生装置３５０の双方における上記受信に係るデモジュレータは、後述する、上記アドレスレベルを基準レベルと比較して当該アドレスレベルに対応する磁気ディスク記録再生装置３５０を特定するためのコンパレータ２１〜２６に供給する基準レベルを自動的に調整する自動調整回路７０を有する。【００３６】
この自動調整回路７０は、磁気ディスクコントロールＬＳＩ、２１０からデータバスを介して供給されるビットデータに基づいて上記各コンパレータ２１〜２６のそれぞれに供給する基準レベルのアナログ値を生成するＤ／Ａコンバータ１１〜１６、並びに磁気ディスクコントロールＬＳＩ、２１０からアドレスバスを介して供給されるアドレスデータに基づき、いずれかのＤ／Ａコンバータを選択するための信号を出力するデコーダ１０を有する。【００３７】
この自動調整回路７０では、アドレスバスから供給されるアドレスデータにより選択されるＤ／Ａコンバータ１１〜１６が、データバスを介して供給されるビットデータに基づいて当該基準レベルを発生し、コンパレータ２１〜２６に供給する。【００３８】
上記積分回路６０により抽出された直流レベル、すなわちアドレスレベルはコンパレータ２１〜２６に供給され、それぞれのコンパレータ２１〜２６において基準レベルと比較される。各コンパレータ２１〜２６では、積分回路６０から入力されるアドレスレベルが自動調整回路７０から供給される基準レベルより高い場合１を出力し低い場合０を出力する。【００３９】
コンパレータ２１〜２６の出力は、各磁気ディスク記録再生装置３５０−１〜３５０−７に対応するＡＮＤ回路４１〜４７に供給される。又コンパレータ２１〜２６の出力は、それぞれ反転回路３１〜３６で反転されてＡＮＤ回路４２〜４７に供給される。【００４０】
ここでコンパレータ２１〜２６にそれぞれ自動調整回路７０から供給される基準レベルは、コンパレータ２１に供給される基準レベル１が最も高く、コンパレータ２２〜２６にそれぞれ供給される基準レベル２〜６は、基準レベル１に対しその順で順次段階的に低く設定され、基準レベル６が最も低く設定される。【００４１】
又、これら基準レベル１−６は、磁気ディスク記録再生装置３５０―１〜３５０−７のそれぞれを特定するためのアドレスレベル１〜７との間に以下の関係を有するように設定される。ここで磁気ディスク記録再生装置３５０―１〜３５０−７のそれぞれを特定するためのアドレスレベル１〜７は、アドレスレベル１が最も高く、アドレス２〜７は、アドレスレベル１に対しその順で順次段階的に低く設定され、アドレスレベル７が最も低く設定される。【００４２】
すなわち、磁気ディスク記録再生装置３５０−１を特定するためのアドレスレベル１は上記基準レベル１より高く、磁気ディスク記録再生装置３５０−２を特定するためのアドレスレベル２は上記基準レベル１より低いが基準レベル２より高く、磁気ディスク記録再生装置３５０−３を特定するためのアドレスレベル３は上記基準レベル２より低いが基準レベル３より高く、...、磁気ディスク記録再生装置３５０−６を特定するためのアドレスレベル６は上記基準レベル５より低いが基準レベル６より高く、磁気ディスク記録再生装置３５０−７を特定するためのアドレスレベル７は上記基準レベル６より低い。【００４３】
その結果、積分回路６０から供給されるアドレスレベルが磁気ディスク記録再生装置３５０−１を特定するためのアドレスレベル１であった場合、当該アドレスレベル１は上記の如くコンパレータ２１に供給される基準レベル１より高く、又上記の如く基準レベル２〜６は基準レベル１に対しその順で順次段階的に低く設定されているため、アドレスレベル１は全ての基準レベル１〜６より高いことになる。その結果、全てのコンパレータ２１〜２６においてアドレスレベルは基準レベルより高いこととなり、全てのコンパレータ２１〜２６から１が出力される。【００４４】
その結果、ＡＮＤ回路４１は、供給される全ての入力が１となり、１を出力する。他方他のＡＮＤ回路４２〜４７においては、コンパレータ２１の出力が反転回路３１で反転された信号が供給される。コンパレータ２１の出力は上記の如く１であるため、これが反転された信号は０を示す。この０を示す信号が供給されるＡＮＤ回路４２〜４７では０が出力される。したがってこの場合、磁気ディスク記録再生装置３５０−１に対応するＡＮＤ回路４１の出力のみが１となり、他のＡＮＤ回路４２〜４７の出力は全て０となる。【００４５】
したがって、出荷前、磁気ディスク記録再生装置３５０−１において、自己に対応するＡＮＤ回路４１の出力のみが有効とされ、他のＡＮＤ回路４２〜４７の出力が無効とされるように設定を行う。そして当該磁気ディスク記録再生装置３５０−１は、ＡＮＤ回路４１の出力が１となった場合に現在受光されたレーザ光によって送信されている信号は当該磁気記録再生装置３５０−１自身を特定して送信されたものと認識し、当該信号に含まれるシリアルデータ、すなわち上記微分回路５０から得られたデータを受け付け、当該シリアルデータを例えば自己の磁気ディスク装置８３に書き込む。【００４６】
他方、積分回路６０から供給されるアドレスレベルが磁気ディスク記録再生装置３５０−２を特定するためのアドレスレベル２であった場合、当該アドレスレベル２は上記の如くコンパレータ２１に供給される基準レベル１より低いがコンパレータ２２に供給される基準レベル２より高く、又上記の如く基準レベル２〜６は基準レベル１に対しその順で順次段階的に低く設定されているため、アドレスレベル２は基準レベル１より低いが他の全ての基準レベル２〜６より高いことになる。その結果、コンパレータ２１においてはアドレスレベルが基準レベルより低いが、他の全てのコンパレータ２２〜２６においてはアドレスレベルが基準レベル２〜６より高いこととなり、コンパレータ２１から０が出力され、他の全てのコンパレータ２２〜２６から１が出力される。その結果、ＡＮＤ回路４１では、コンパレータ２１から供給される入力が０となり、０を出力する。他方ＡＮＤ回路４２においては、コンパレータ２１の出力が反転回路３１で反転された信号が供給される。コンパレータ２１の出力は上記の如く０であるため、これが反転された信号は１を示す。又ＡＮＤ回路４２には、この反転回路３１により反転された信号の他には、他のコンパレータ２２〜２６の出力、すなわち上記の如くいずれも１の信号が供給される。その結果ＡＮＤ回路４２から１が出力される。他方他のＡＮＤ回路４３〜４７においては、コンパレータ２２の出力が反転回路３２で反転された信号が供給される。コンパレータ２２の出力は上記の如く１であるため、これが反転された信号は０を示す。この０を示す信号が供給されるＡＮＤ回路４３〜４７では０が出力される。したがってこの場合、磁気ディスク記録再生装置３５０−２に対応するＡＮＤ回路４２の出力のみが１となり、他のＡＮＤ回路４１，４３〜４７の出力は全て０となる。【００４７】
同様にして、積分回路６０から供給されるアドレスレベルが磁気ディスク記録再生装置３５０−３〜３５０−６のうちのいずれかを特定するためのアドレスレベル３〜６であった場合、対応するＡＮＤ回路４３〜４６の出力のみが１となり、他のＡＮＤ回路の出力は全て０となる。【００４８】
積分回路６０から供給されるアドレスレベルが磁気ディスク記録再生装置３５０−７を特定するためのアドレスレベル７であった場合、当該アドレスレベル７は全てのコンパレータ２１〜２６に供給される基準レベル１〜６のいずれよりも低い。その結果、全てのコンパレータ２１〜２６は０を出力する。当該磁気ディスク記録再生装置３５０−７に対応するＡＮＤ回路４７以外の全てのＡＮＤ回路４１〜４６にはそれぞれコンパレータ２１〜２６の出力が直接入力されている。上記の如くコンパレータ２１〜２６は０を出力するため、ＡＮＤ回路４１〜４６は全て０を出力する。他方当該磁気ディスク記録再生装置３５０−７に対応するＡＮＤ回路４７には、図４に示される如く、コンパレータ２１〜２６の出力が反転回路３１〜３６デそれぞれ反転された信号が供給される。上記の如くコンパレータ２１〜２６は０を出力するため、それらが反転回路３１〜３６で反転された結果、全て１となり、これがＡＮＤ回路４７に供給されるため、ＡＮＤ回路４７は１を出力する。したがってこの場合、磁気ディスク記録再生装置３５０−７に対応するＡＮＤ回路４７の出力のみが１となり、他のＡＮＤ回路４１〜４６の出力は全て０となる。【００４９】
したがって上記の如く、出荷前、磁気ディスク記録再生装置３５０−２〜３５０−７のそれぞれにおいて、自己に対応するＡＮＤ回路４２〜４７の出力のみが有効とされ、他のＡＮＤ回路の出力が無効とされるように設定を行う。そして当該磁気ディスク記録再生装置３５０では、有効なＡＮＤ回路の出力が１となった場合に現在受光されたレーザ光によって送信されている信号は当該磁気記録再生装置自身を特定して送信されたものと認識し、当該信号に含まれるシリアルデータ、すなわち上記微分回路５０から得られたデータを受け付け、当該シリアルデータを例えば自己の磁気ディスク装置８３に書き込む。【００５０】
このように本発明の実施例による情報処理システムにおける各磁気ディスク記録再生装置３５０では、光転送路１５０を介して磁気ディスクコントローラ装置３３０から送信された光信号としてのレーザ光は、受信に係るデモジュレータにおいて、レーザ受光素子２３０で電気信号に変換され、積分回路６０でその直流成分であるアドレスレベルが抽出され、当該アドレスレベルがコンパレータ２１〜２６でそれぞれの基準レベル１〜６と比較され、その比較結果がＡＮＤ回路４１〜４７及び反転回路３１〜３６を有する論理回路で論理演算処理されることで、当該レーザ光の送信信号が自己を特定して送信されたものか否かを判定する。【００５１】
したがって磁気ディクスクコントローラ装置３３０が光転送路１５０より配下の磁気ディスク記録再生装置３５０にアクセスを行う場合、光転送路１５０に対し、最初にアクセスしたい磁気ディスク記録再生装置３５０のアドレスデータに対応するアドレスレベルを有するレーザ光を送出すると、各磁気ディスク記録再生装置３５０は上記の如くの構成により自己が特定されてアクセスされたか否かを認識する。そのようにして自己がアクセスされたことを認識した磁気ディスク記録再生装置３５０は磁気ディクスクコントローラ装置３３０に対し、アクセス可能である旨を示す信号を応答信号として送信する。このようにして、当該磁気ディスク記録再生装置だけが、以降実データの受け渡しの権利を得、その磁気ディスク装置８３に対する実データ（すなわちシリアルデータ）の書き込み動作等を実施する。【００５２】
その後磁気ディクスクコントローラ装置３３０が、当該磁気ディスク記録再生装置３５０に対し、最後の転送終了信号（ステータス領域）を転送し、その後他の磁気ディスク記録再生装置３５０を特定するためのアドレスレベルを有するレーザ光を送出すると、当該他の磁気ディスク記録再生装置３５０は自己がアクセスされたことを認識し、以降上記同様の動作が実施される。【００５３】
このように、本発明の実施例によれば、磁気ディスクコントローラ装置３３０が送出するレーザ光の強度レベルを変えることにより相手側の磁気ディスク記録再生装置３５０を特定するため、相手側の磁気ディスク記録再生装置３５０を特定するために要する信号送出時間が効果的に短縮され、任意の磁気ディスク記録再生装置３５０に対する高速なアクセスが可能となる。このように短時間に相手側の磁気ディスク記録再生装置３５０を特定し得ることにより、データの高速転送が可能になる。またこのようにデータの高速転送が可能となることにより、データを転送する時間が短縮され、もって省エネルギ効果も併せて得られる。【００５４】
次に図５，図６に示されるタイムチャートとともに、上記本発明の実施例による情報処理システムにおける情報処理装置のアクセス方法の構成について説明する。【００５５】
図５は比較のために示す従来技術による情報処理装置のアクセス方法において、アクセス元としての磁気ディスクコントローラ装置における信号のタイムチャートを示す。【００５６】
図５（ａ）の信号は磁気ディスクコントローラ装置から送出されるレーザ光の送信信号（すなわちレーザドライバ出力信号であり、パルス信号）中、前半部分は第１の磁気ディスク記録再生装置に対し送信され、後半部分は第２の磁気ディスク記録再生装置に対し送信される。【００５７】
図５（ｂ）のアドレスビット信号送出期間を示す信号とは、上記第２の磁気ディスク記録再生装置を特定するための一連のアドレスビットを有する信号の送出期間を示す信号を示す。【００５８】
図５（ｃ）のアドレスビット信号送出期間終了信号とは、上記第２の磁気ディスク記録再生装置を特定するための一連のアドレスビットを有する信号の送出期間の終了を示す信号を示す。【００５９】
図５（ｄ）のアドレスビット信号出力とは、上記第２の磁気ディスク記録再生装置を特定するための一連のアドレスビットを有する信号を示す。【００６０】
図５（ｅ）のシリアルデータ出力とは、上記第１及び第２の磁気ディスク記録再生装置に対して送信する実データとしてのシリアルデータを示す。【００６１】
図５（ｆ）の同期信号出力とは、アクセス先の磁気ディスク記録再生装置を変更するタイミングを示す同期信号を示す。【００６２】
図５（ｇ）の転送終了信号とは、第１の磁気ディスク記録再生装置に対するシリアルデータの出力が終了したことを示す信号である。【００６３】
図５（ｈ）の第１のドライブのアクセスを示す信号とは第１の磁気ディスク記録再生装置に対するアクセス中の状態であることを示す信号であり、図５（ｉ）の第２のドライブのアクセスを示す信号とは第２の磁気ディスク記録再生装置に対するアクセス中の状態であることを示す信号である。【００６４】
図５中、（ａ）のレーザドライバ出力信号以外の信号は、磁気ディスクコントローラ装置内部の制御信号である。【００６５】
このように図５に示す従来技術では、レーザドライバ出力信号において、アドレスビット信号送出期間の後にシリアルデータが送出される。すなわち実データとしてのシリアルデータを転送する際、アクセス先の磁気ディスク記録再生装置を特定するためのアドレスビット信号を送出するための期間を要する。【００６６】
磁気ディスクコントローラ装置では、アドレスビット信号送出期間の後、アドレスビット信号送出期間終了信号を発生し、当該信号のタイミングによりアドレスビット信号送出とシリアルデータの送出との切替えを行うことにより、図５に示すように、アドレスビット信号とシリアルデータとを連続して送出する。【００６７】
図６は本発明の実施例による情報処理システムにおいて、その一例として磁気ディスクコントローラ装置３３０から各磁気ディスク記録再生装置３５０をアクセスする際の動作を説明するためのタイムチャートである。【００６８】
図６（ａ）の信号は磁気ディスクコントローラ装置３３０における、図２に示される送信に係るモジュレータ中、半導体レーザ１３２から発せされるレーザ光の送信信号（すなわちレーザドライバ１３１の出力信号であり、パルス信号）中、前半部分は第１の磁気ディスク記録再生装置に対し送信され、後半部分は第２の磁気ディスク記録再生装置に対し送信される。【００６９】
図６（ｂ）は磁気ディスクコントローラ装置３３０における、図２に示される送信に係るモジュレータ中、レベル変換回路１２２から出力されるアドレスレベル（すなわち図２中、加算器１２３に供給されるアドレスレベル）を示す。図６（ｂ）に示される如く、図６（ａ）に示される送信信号が第１の磁気ディスク記録再生装置に対するものとされる前半の期間（すなわち図６中、最下段に示される「第１のドライブへの信号」の期間）中は、第１の磁気ディスク記録再生装置を特定するためのアドレスレベルが出力され、同送信信号が第２の磁気ディスク記録再生装置に対するものとされる後半の期間（すなわち図６中、最下段に示される「第２のドライブへの信号」の期間）中は、第２の磁気ディスク記録再生装置を特定するためのアドレスレベルが出力される。【００７０】
図６（ｃ）は上記第１及び第２の磁気ディスク記録再生装置に対して送信する実データとしてのシリアルデータ（すなわち図２中、加算器１２３に供給されるシリアルデータ）を示し、図６（ａ）に示される送信信号が第１の磁気ディスク記録再生装置に対するものとされる前半の期間（すなわち図６中、最下段に示される「第１のドライブへの信号」の期間）中は、第１の磁気ディスク記録再生装置に転送すべきシリアルデータが出力され、同送信信号が第２の磁気ディスク記録再生装置に対するものとされる後半の期間（すなわち図６中、最下段に示される「第２のドライブへの信号」の期間）中は、第２の磁気ディスク記録再生装置に転送すべきシリアルデータが出力される。【００７１】
図６（ｄ）は、アクセス先の磁気ディスク記録再生装置を変更するタイミングを示す同期信号（すなわち図２中、加算器１２３に供給される同期信号）を示す。【００７２】
図６（ｅ）は、第１の磁気ディスク記録再生装置に対するシリアルデータの出力が終了したことを示す転送終了信号を示す。【００７３】
図６（ｆ）の第１のドライブのアクセスを示す信号とは第１の磁気ディスク記録再生装置に対するアクセス中の状態であることを示す信号であり、図６（ｇ）の第２のドライブのアクセスを示す信号とは第２の磁気ディスク記録再生装置に対するアクセス中の状態であることを示す信号である。【００７４】
図６中、（ａ）のレーザドライバ出力信号以外の信号は、磁気ディスクコントローラ装置内部の制御信号である。【００７５】
図６（ａ）のレーザドライバ出力信号は、上記の如く図２に示される加算器１２３により加算された、シリアルデータ成分とアドレスレベルの成分との合成信号である。この場合図２の半導体レーザ１３２から発せられるレーザ出力の強度レベル自体がアドレスレベルに係るレベルとされるため、シリアルデータを転送する信号のレベル自体がアクセス先のアドレスデータを示すものとされる。すなわち送信信号はシリアルデータを有するとともに、アドレスレベルの情報を、当該送信信号としてのレーザ光の強度レベルの形態で有する。【００７６】
図６（ａ）に示される如くの送信信号を受信した各磁気ディスク記録再生装置３５０における受信に係るデモジュレータ（すなわち図３、図４の構成）において、同期信号分離回路８０にて分離された図６（ｄ）の同期信号が磁気ディスクコントロールＬＳＩ、２１０に供給される。その後上記図６の最下段に示される「第２のドライブへの信号」の期間に入り、磁気ディスクコントローラ装置３３は図６（ｂ）に示される如くアドレスレベルを変化（図６（ｂ）の例では同レベルを低下）させ、その送信に係るモジュレータ（すなわち図２の構成）の加算器１２３で当該レベルをシリアルデータのパルス信号に加算することにより、図６（ａ）に示される如く、レーザドライバ出力信号であるレーザ光の強度レベルがその分全体的に低下するようにする。【００７７】
その結果受信側の磁気ディスク記録再生装置３５０で受光されるレーザ光の強度レベルもその分全体的に低下し、そのレーザ受光素子２３０の出力のレベルもその分全体的に低下する。このレベルが図４に示す積分回路６０で抽出され、上述したコンパレータ２１〜２６、反転回路３１〜３６及びＡＮＤ回路４１〜４７よりなる論理演算回路による論理演算により、当該送信信号が自己を特定して送信されたものか否かを判定する。【００７８】
当該判断が完了し、結果的に当該磁気ディスク記録再生装置３５０が自己が特定されたと認識した場合、当該磁気ディスク記録再生装置３５０の磁気ディスクコントロールＬＳＩ、８２（２１０）は上位の磁気ディスクコントローラ装置３３０に対し、実データの受付開始が可能である旨を回答する信号を応答信号として送信すると、これを受けた磁気ディスクコントローラ装置３３０は実データとしてのシリアルデータを当該磁気ディスク記録再生装置３５０に対し転送する動作を開始する。【００７９】
ここで、このように積分回路６０による積分動作によってアクセス先の磁気ディスク記録再生装置３５０を特定するためのアドレスレベルが抽出される際一定の時間が要される。しかしながらこの時間は図５（ｄ）とともに上述した従来技術におけるアドレスビット信号の送出に要される時間に比して大幅に短縮可能であることは明らかである。【００８０】
上記図６の最下段に示される「第１のドライブへの信号」の期間と「第２のドライブへの信号」の期間との間において、上記の如く、図６（ｄ）の同期信号のパルスのタイミングで図６（ａ）のレーザ光のレベルがゼロとなる。このレーザ光のレベルがゼロの部分が同期信号領域と称される。同期信号領域の次に上記の如く受信側の磁気ディスク記録再生装置３５０においてアドレスレベルを抽出するためのアービットレーション領域が設けられ、その次に実データとしてのシリアルデータを転送するリードライトのデータ領域が設けられる。そしてデータ領域が終了すると図６（ｅ）の転送終了信号が送信されるステータス領域が設けられる。【００８１】
次に図８とともに、本発明の実施例による情報処理システムにおいて電源が投入された際に行われる初期設定動作（キャリブレーション動作）につき説明する。【００８２】
当該情報処理システムの電源が最初に投入された際の初期状態では、当該情報処理システムの設計時に決定された、各磁気ディスク記録再生装置３５０を特定するためのアドレスレベルと比較するための上記基準レベルの電圧を示すビットデータが、各磁気ディスク記録再生装置３５０の磁気ディスクコントロールＬＳＩ、８２（２１０）のメモリに記録されている。そしてこのビットデータが図４に示す自動調整回路７０のデコーダ１０にアドレスバスを介して供給され、デコーダ１０を介し、各Ｄ／Ａコンバータ１１〜１６に供給される。そして上記の如く、各Ｄ／Ａコンバータ１１〜１６で該当する基準レベルに変換され、対応するコンパレータ２１〜２６に供給されて、積分回路６０から供給されるアドレスレベルとの比較に使用される。【００８３】
ここで磁気ディスクコントローラ装置３３０のアクセス先である磁気ディスク記録再生装置３５０の台数が少ない場合はそれほど問題とならないと考えられるが、その台数が多い場合、当該多数の台数の磁気ディスク記録再生装置３５０のそれぞれのアドレスレベルと比較するために当該台数に応じた数の上記基準レベル（すなわち直流電圧）が必要となり、それらの基準レベルは相互に異なる値を有する必要がある。したがって、アクセス先の磁気ディスク記録再生装置３５０の台数が多い場合、基準レベル相互間のレベル差を縮小する必要が生ずる。その結果、上記自動調整回路７０、各コンパレータ２１〜２６等を構成する回路素子の特性のばらつき、信号転送路における直流電圧の減衰等の要因により、アドレスレベルと基準レベルとの比較結果にエラーが含まれる可能性が生ずる。【００８４】
このようなエラーを防止するため各磁気ディスク記録再生装置３５０において上記初期設定動作（キャリブレーション動作）を行う。【００８５】
図８中、当該情報処理システムの電源が投入される（ステップＳ１）と、最初に図５とともに上述した従来技術によってアドレスビット信号を上位の磁気ディスクコントローラ装置３３０から配下の磁気ディスク記録再生装置３５０に転送する（ステップＳ２）。【００８６】
この場合磁気ディスクコントローラ装置３３０の送信に係るモジュレータ（図２の構成）では、シリアルデータとして当該アドレスビット信号を発生し、加算器１２３ではレベル変換回路１２２から供給される任意の直流電圧が加算され、レーザドライバ１３１，半導体レーザ１３２を介し光転送路１５０に送信され、これを受けた各磁気ディスク記録再生装置３５０の受信に係るデモジュレータでは、図４に示すレーザ受光素子２３０で得られた受信信号が微分回路５０及び同期信号分離回路８０で処理されることで得られるシリアルデータとして当該アドレスビット信号を得ることができる。【００８７】
当該アドレスビット信号により自己がアクセスされたと認識した磁気ディスク記録再生装置（以下、対象磁気ディスク記録再生装置と称する）は、応答信号としてレディー信号を磁気ディスクコントローラ装置３３０に送信する（ステップＳ３）。【００８８】
これを受けた磁気ディスクコントローラ装置３３０は対象磁気ディスク記録再生装置３５０のアドレスレベルのレーザ光を送出する（ステップＳ4）。【００８９】
これを受けた対象磁気ディスク記録再生装置３５０では、その直流電圧のレベルの値を求めるため、当該磁気ディスク記録再生装置３５０のデモジュレータ中、自動調整回路７０におけるＤ／Ａコンバータ１１〜１６のうち、当該磁気ディスク記録再生装置３５０を特定するためのアドレスレベルに対応する基準レベル、すなわち当該磁気ディスク記録再生装置を特定するためのアドレスレベルと、その次のアドレスの磁気ディスク記録再生装置３５０のアドレスレベル（すなわち当該磁気ディスク記録再生装置のアドレスレベルの次に低いアドレスレベル）との間に設定されている基準レベル（以下、対象磁気ディスク記録再生装置に対応する基準レベルと称する）を供給するＤ／Ａコンバータ（以下、対象磁気ディスク記録再生装置に対応するＤ／Ａコンバータと称する）にデコーダ１０から供給するビットデータを徐々に変化させることにより、当該Ｄ／Ａコンバータから得られる基準レベルを徐々に上昇させる（ステップＳ５）。【００９０】
上記ステップＳ５における基準レベルの変化により、対象磁気ディスク記録再生装置３５０が有するコンパレータ２１〜２６のうち当該基準レベルが供給されるコンパレータ（以下、対象磁気ディスク記録再生装置に対応するコンパレータと称する）の出力が変化し、その結果、当該磁気ディスク記録再生装置のデモジュレータが有するＡＮＤ回路４１〜４７のうち、当該磁気ディスク記録再生装置に対応するＡＮＤ回路（以下、対象磁気ディスク記録再生装置に対応するＡＮＤ回路と称する）の出力が変化する。そして当該基準レベルを徐々に上昇させることによって当該ＡＮＤ回路の出力が１から０に変化することを検出し（ステップＳ６）、そのときの、対象磁気ディスク記録再生装置に対応するＤ／Ａコンバータに供給したビットデータを記憶する（ステップＳ７）。【００９１】
すなわち後述する図１０の例の場合、図１０（ａ）の太い線で示す直流電圧のレベルのうち、図１０の最下段に示す「アッパーレベルの確認期間」中のものが対象磁気ディスク記録再生装置３５０のアドレスレベルに該当し、図１０（ｂ）の細い線で示す直流電圧のレベルのうち、図１０の最下段に示す「アッパーレベルの確認期間」中のものが対象磁気ディスク記録再生装置に対応する基準レベルに該当する。図１０の最下段に示す「アッパーレベルの確認期間」中は太線のアドレスレベルより細線の基準レベルの方が低いため対象磁気ディスク記録再生装置に対応するコンパレータの出力は１であり、対象磁気ディスク記録再生装置に対応するＡＮＤ回路の出力、すなわち図１０（ｃ）に示すレベルはハイ、すなわち１である。図１０の最下段に示す「アッパーレベルの確認期間」の最後の部分に示されるように、基準レベルを徐々に上昇させ、基準レベルがアドレスレベルを超えると、前記コンパレータの出力は反転して０となり、その結果ＡＮＤ回路の出力も０となる。【００９２】
したがって対象磁気ディスク記録再生装置に対応するＡＮＤ回路の出力が１から０となった時点の基準レベルを、当該アドレスレベルすなわち対象磁気ディスク記録再生装置３５０のアドレスレベルに略等しいレベルと見ることができる。【００９３】
次に磁気ディスクコントローラ装置３３０は対象磁気ディスク記録再生装置３５０のアドレスの１つ後のアドレスの磁気ディスク記録再生装置３５０のアドレスレベルのレーザ光を送出する（ステップＳ８）。【００９４】
ここで上記１つ後のアドレスの磁気ディスク記録再生装置３５０のアドレスレベルとは、各磁気ディスク記録再生装置３５０のアドレスレベルを高いものから低いものに順に並べた場合において、対象磁気ディスク記録再生装置３５０のアドレスレベルの次のアドレスレベルを意味する。したがって上記１つ後のアドレスの磁気ディスク記録再生装置３５０のアドレスレベルとは、対象磁気ディスク記録再生装置３５０のアドレスレベルの次に低いアドレスレベルを意味する。【００９５】
ステップＳ８で磁気ディスクコントローラ装置３３０から送出されたレーザ光を受けた対象磁気ディスク記録再生装置３５０では、その直流電圧のレベルを求めるため、対象磁気ディスク記録再生装置に対応するＤ／Ａコンバータにデコーダ１０から供給するビットデータを徐々に変化させることにより、当該Ｄ／Ａコンバータから得られる基準レベルを徐々に低下させる（ステップＳ９）。【００９６】
上記ステップＳ９における基準レベルの変化により、対象磁気ディスク記録再生装置のデモジュレータが有するコンパレータ２１〜２６のうち当該基準レベルが供給される、当該磁気ディスク記録再生装置に対応するコンパレータの出力が変化し、その結果、対象磁気ディスク記録再生装置に対応するＡＮＤ回路の出力が変化する。そして当該基準レベルを徐々に低下させることによって当該ＡＮＤ回路の出力が０から１に変化することを検出し（ステップＳ１０）、そのときの、対象磁気ディスク記録再生装置に対応するＤ／Ａコンバータに供給したビットデータを記憶する（ステップＳ１１）。【００９７】
この場合図１０の例の場合、図１０（ａ）の太い線で示す直流電圧のレベルのうち、図１０の最下段に示す「ロアーレベルの確認期間」中のものが対象磁気ディスク記録再生装置３５０の次のアドレスの磁気ディスク記録再生装置のアドレスレベルに該当し、図１０（ｂ）の細い線で示す直流電圧のレベルのうち、図１０の最下段に示す「ロアーレベルの確認期間」中のものが対象磁気ディスク記録再生装置に対応する基準レベルに該当する。図１０の最下段に示す「ロアーレベルの確認期間」中は太線のアドレスレベルより細線の基準レベルの方が高いため対象磁気ディスク記録再生装置に対応するコンパレータの出力は０であり、対象磁気ディスク記録再生装置に対応するＡＮＤ回路の出力、すなわち図１０（ｃ）に示すレベルはロー、すなわち０である。図１０の最下段に示す「ロアーレベルの確認期間」の最後の部分に示されるように、基準レベルを徐々に低下させ、基準レベルがアドレスレベルを下回ると、上記コンパレータの出力は反転して１となり、その結果上記ＡＮＤ回路の出力も１となる。【００９８】
したがって対象磁気ディスク記録再生装置に対応するＡＮＤ回路の出力が０から１となった時点の基準レベルを、当該アドレスレベル、すなわち対象磁気ディスク記録再生装置３５０のアドレスの１つ後のアドレスの磁気ディスク記録再生装置３５０のアドレスレベルに略等しいレベルと見ることができる。【００９９】
次に、ステップＳ７及びＳ１１のそれぞれで記憶したビットデータが示す直流電圧のレベルＶｈ，Ｖｌの中間値Ｖａｄｄを求め（次式）、求められた値の直流電圧のレベルを上記対象磁気ディスク記録再生装置３５０に対応する基準レベルとして当該基準レベルを示すビットデータを対象磁気ディスク記録再生装置に対応するＤ／Ａコンバータに供給すべきビットデータとしてメモリに記憶する（ステップＳ１２）。
Ｖａｄｄ  ＝  （（Ｖｈ  −  Ｖｌ）  ÷  ２）  ＋  Ｖl
そしてステップＳ２〜Ｓ１２の動作を、順次対象磁気ディスク記録再生装置３５０を切り替えて実施する（ステップＳ１３）。【０１００】
以下図９，図１０とともに、本発明の実施例による情報処理システムにおいて、磁気ディスク記録再生装置３５０が磁気ディスクコントローラ装置３３０の指示に従って自己の磁気ディスク装置に対するデータの書き込み等の動作中に磁気ディスクコントローラ装置３３０から送信されるアドレスレベルが変動して自己を特定するアドレスレベル以外のレベルとなる等のエラーの発生時に当該磁気ディスク記録再生装置において自動的になされる、自己を特定するための基準レベルを調整する動作（キャリブレーション動作）について説明する。【０１０１】
ここで上記「磁気ディスクコントローラ装置３３０から送信されるアドレスレベルが変動」とは、図６（ａ）等とともに上述の如く、磁気ディスクコントローラ装置３３０の送信に係るモジュレータ中の加算器１２３でアドレスレベルとシリアルデータとが加算されて光転送路１５０に送出されるレーザ光の強度レベルが得られるところ、アドレスレベルが変動することによりシリアルデータが加算された結果としての送信信号のレベルがその分全体的に変動することを意味する。又このような送信信号のレベルの全体的な変動は、図４とともに上述の如く、磁気ディスク記録再生装置３５０の受信に係るデモジュレータの積分回路６０による積分動作により得られるアドレスレベルの変動として得られる。【０１０２】
図９のステップＳ３１において、当該磁気ディスク記録再生装置３５０が上記の如くのエラーの発生を検出すると、その旨を磁気ディスクコントローラ装置３３０に報告する信号を送信する。【０１０３】
ここでは例えば図１０の最下段に記載された「動作時（エラーが発生）」の期間中の図１０（ａ）に示される如く、何らかの外的要因により磁気ディスクコントローラ装置３３０から当該磁気ディスク記録再生装置３５０に対し送信されるアドレスレベルが変動することにより、当該磁気ディスク記録再生装置に対応する基準レベル（すなわち当該磁気ディスク記録再生装置のアドレスレベルとその次のアドレスの磁気ディスク記録再生装置のアドレスレベル、すなわち次に低いアドレスレベルとの間に設定されている基準レベル、以下同様）に対し、上記磁気ディスクコントローラ装置３３０から送信される、当該磁気ディスク記録再生装置３５０を特定するためのアドレスレベルが低下した場合を想定している。【０１０４】
このような場合、当該磁気ディスク記録再生装置３５０の受信に係るデモジュレータにおけるコンパレータ２１〜２６中、当該磁気ディスク記録再生装置３５０に対応するコンパレータ（すなわち前記当該磁気ディスク記録再生装置に対応する基準レベルが供給されるコンパレータ、以下同様）の出力が１から０に反転し、その結果ＡＮＤ回路４１〜４７のうち、当該磁気ディスク記録再生装置に対応するＡＮＤ回路の出力が１から０となる（図１０（ｃ））。これが当該磁気ディスク記録再生装置３５０の磁気ディスクコントロールＬＳＩ、２１０（８２）により検出され（図１０（ｄ））、当該磁気ディスクコントロールＬＳＩの指示に従い、当該磁気ディスク記録再生装置３５０は上記の如く磁気ディスクコントローラ装置３３０にその旨を報告する信号を送信する。【０１０５】
以後行われる動作は上述した図８のステップＳ２〜Ｓ１２の動作と同様である。図９のステップＳ３２〜Ｓ４２の動作はそれぞれ図８のステップＳ２〜Ｓ１２の動作に対応する。【０１０６】
すなわち図９のステップＳ３２にて、図５とともに上述した従来技術によってアドレスビット信号を磁気ディスクコントローラ装置３３０から当該磁気ディスク記録再生装置３５０に転送する。【０１０７】
ステップＳ３３において、当該磁気ディスク記録再生装置３５０はステップＳ３２にて磁気ディスクコントローラ装置３３０から送信されたアドレスビット信号により自己がアクセスされたと認識すると、応答信号としてレディー信号を磁気ディスクコントローラ装置３３０に送信する（ステップＳ３３）。【０１０８】
これを受けた磁気ディスクコントローラ装置３３０は当該磁気ディスク記録再生装置３５０のアドレスレベルのレーザ光を送出する（ステップＳ３４）。【０１０９】
これを受けた当該磁気ディスク記録再生装置３５０の受信に係るデモジュレータ中、そのレーザ光からレーザ受光素子２３０により得られる直流電圧のレベルの値を求めるため、自動調整回路７０におけるＤ／Ａコンバータ１１〜１６のうち、当該磁気ディスク記録再生装置３５０を特定するためのアドレスレベルに対応する基準レベル、すなわち当該磁気ディスク記録再生装置を特定するためのアドレスレベルとその次のアドレスの磁気ディスク記録再生装置３５０のアドレスレベル（すなわち当該磁気ディスク記録再生装置のアドレスレベルの次に低いアドレスレベル）との間に設定されている基準レベルであって、当該磁気ディスク記録再生装置に対応する基準レベルを供給するＤ／Ａコンバータ（以下、当該磁気ディスク記録再生装置に対応するＤ／Ａコンバータと称する）にデコーダ１０から供給するビットデータを徐々に変化させることにより、当該Ｄ／Ａコンバータから得られる基準レベルを徐々に上昇させる（ステップＳ３５）。【０１１０】
上記ステップＳ３５における基準レベルの変化により、当該磁気ディスク記録再生装置３５０が有するコンパレータ２１〜２６のうち当該基準レベルが供給されるコンパレータ（すなわち当該磁気ディスク記録再生装置に対応するコンパレータ）の出力が変化し、その結果、当該磁気ディスク記録再生装置のデモジュレータが有するＡＮＤ回路４１〜４７のうち、当該磁気ディスク記録再生装置に対応するＡＮＤ回路の出力が変化する。そして当該基準レベルを徐々に上昇させることによって当該ＡＮＤ回路の出力が１から０に変化することを検出し（ステップＳ３６）、そのときの、当該磁気ディスク記録再生装置に対応するＤ／Ａコンバータに供給したビットデータを記憶する（ステップＳ３７）。【０１１１】
すなわち後述する図１０の例の場合、図１０（ａ）の太い線で示す直流電圧のレベルのうち、図１０の最下段に示す「アッパーレベルの確認期間」中のものが当該磁気ディスク記録再生装置３５０に対応するアドレスレベルに該当し、図１０（ｂ）の細い線で示す直流電圧のレベルのうち、図１０の最下段に示す「アッパーレベルの確認期間」中のものが当該磁気ディスク記録再生装置に対応する基準レベルに該当する。図１０の最下段に示す「アッパーレベルの確認期間」中は太線のアドレスレベルより細線の基準レベルの方が低いため当該磁気ディスク記録再生装置に対応するコンパレータの出力は１であり、当該磁気ディスク記録再生装置に対応するＡＮＤ回路の出力、すなわち図１０（ｃ）に示すレベルはハイ、すなわち１である。図１０の最下段に示す「アッパーレベルの確認期間」の最後の部分に示されるように、基準レベルを徐々に上昇させ、基準レベルがアドレスレベルを超えると、前記コンパレータの出力は反転して０となり、その結果ＡＮＤ回路の出力も０となる。【０１１２】
したがって当該磁気ディスク記録再生装置に対応するＡＮＤ回路の出力が１から０となった時点の基準レベルを当該磁気ディスク記録再生装置３５０のアドレスレベルに略等しいレベルと見ることが可能である。【０１１３】
次に磁気ディスクコントローラ装置３３０は当該磁気ディスク記録再生装置３５０のアドレスの１つ後のアドレスの磁気ディスク記録再生装置３５０のアドレスレベルのレーザ光を送出する（ステップＳ３８）。【０１１４】
ここで上記１つ後のアドレスの磁気ディスク記録再生装置３５０のアドレスレベルとは、各磁気ディスク記録再生装置３５０のアドレスレベルを高いものから低いものに順に並べた場合において、当該磁気ディスク記録再生装置３５０のアドレスレベルの次のアドレスレベルを意味する。したがって上記１つ後のアドレスの磁気ディスク記録再生装置３５０のアドレスレベルとは、隣接するアドレスレベルのうち、当該磁気ディスク記録再生装置３５０のアドレスレベルの次に低いアドレスレベルを意味する。【０１１５】
ステップＳ３８で磁気ディスクコントローラ装置３３０から送出されたレーザ光を受けた当該磁気ディスク記録再生装置３５０では、その直流電圧のレベルを求めるため、当該磁気ディスク記録再生装置に対応するＤ／Ａコンバータにデコーダ１０から供給するビットデータを徐々に変化させることにより、当該Ｄ／Ａコンバータから得られる基準レベルを徐々に低下させる（ステップＳ３９）。【０１１６】
上記ステップＳ３９における基準レベルの変化により、当該磁気ディスク記録再生装置のデモジュレータが有するコンパレータ２１〜２６のうち当該基準レベルが供給されるコンパレータ（すなわち当該磁気ディスク記録再生装置に対応するコンパレータと称する）の出力が変化し、その結果、当該磁気ディスク記録再生装置に対応するＡＮＤ回路の出力が変化する。そして当該基準レベルを徐々に低下させることによって当該ＡＮＤ回路の出力が０から１に変化することを検出し（ステップＳ４０）、そのときの、当該磁気ディスク記録再生装置に対応するＤ／Ａコンバータに供給したビットデータを記憶する（ステップＳ４１）。【０１１７】
図１０の例の場合、図１０（ａ）の太い線で示す直流電圧のレベルのうち、図１０の最下段に示す「ロアーレベルの確認期間」中のものが当該磁気ディスク記録再生装置３５０の次のアドレスの磁気ディスク記録再生装置３５０のアドレスレベルに該当し、図１０（ｂ）の細い線で示す直流電圧のレベルのうち、図１０の最下段に示す「ロアーレベルの確認期間」中のものが当該磁気ディスク記録再生装置に対応する基準レベルに該当する。図１０の最下段に示す「ロアーレベルの確認期間」中は太線のアドレスレベルより細線の基準レベルの方が高いため当該磁気ディスク記録再生装置に対応するコンパレータの出力は０であり、当該磁気ディスク記録再生装置に対応するＡＮＤ回路の出力、すなわち図１０（ｃ）に示すレベルはロー、すなわち０である。図１０の最下段に示す「ロアーレベルの確認期間」の最後の部分に示されるように、基準レベルを徐々に低下させ、基準レベルがアドレスレベルを下回ると、上記コンパレータの出力は反転して１となり、その結果ＡＮＤ回路の出力も１となる。【０１１８】
したがって当該磁気ディスク記録再生装置に対応するＡＮＤ回路の出力が０から１となった時点の基準レベルを当該磁気ディスク記録再生装置３５０のアドレスの１つ後のアドレスの磁気ディスク記録再生装置３５０のアドレスレベルに略等しいレベルと見ることができる。【０１１９】
次に、ステップＳ３７及びＳ４１のそれぞれで記憶したビットデータが示す直流電圧のレベルＶｈ，Ｖｌの中間値Ｖａｄｄを求め（次式）、求められた値の直流電圧のレベルを当該磁気ディスク記録再生装置３５０に対応する基準レベルとして当該基準レベルを示すビットデータを、当該磁気ディスク記録再生装置３５０に対応するＤ／Ａコンバータに供給すべきビットデータとしてメモリに記憶する（ステップＳ４２）。
Ｖａｄｄ  ＝  （（Ｖｈ  −  Ｖｌ）  ÷  ２）  ＋  Ｖl
図１１は上述の本発明の実施例における情報処理システムにおける磁気ディスクコントローラ装置３３０が有する磁気ディスクコントロールＬＳＩ或いは各磁気ディスク記録再生装置３５０が有する磁気ディスクコントロールＬＳＩ、８２の各々に搭載されるコンピュータのハードウェア構成例を示すブロック図である。【０１２０】
図１１に示すごとく、同コンピュータ５００は、与えられたプログラムを構成する命令を実行することによって様々な動作を実行するためのＣＰＵ５０１と、操作部５０２と、ＣＰＵ５０１が実行するプログラム、データ等を記憶したり作業領域として使用されるメモリ５０４と，インターネット、ＬＡＮ等の通信網５０９を介して外部からプログラムをダウンロード等するためのモデム５０８とを有する。又上記メモリ５０４は、いわゆるメモリ（ＲＡＭ等）と不揮発メモリと（いずれも図示を省略する）に大別される。【０１２１】
同コンピュータ５００では、その製品出荷時、メモリ５０４に含まれる上記不揮発メモリに図１〜図１０（特に図６、図７、図１０のタイムチャート，図８，図９のフローチャート）とともに上述した磁気ディスクコントローラ装置３３０或いは各磁気ディスク記録再生装置３５０の動作を実行するためのプログラムが例えばファームウェアとして格納される。【０１２２】
そしてこれらが適宜メモリ５０４に含まれる上記いわゆるメモリ（ＲＡＭ等）にロードされ、これらがＣＰＵ５０１によって実行されることにより、同コンピュータ５００によって上記磁気ディスクコントローラ装置３３０或いは各磁気ディスク記録再生装置３５０動作が実現される。【０１２３】
又上記プログラム自体の入れ替え、アップグレード等は、モデム５０８の使用により通信ネットワーク（ＬＡＮ）５０９を介して該当するプログラムをダウンロードすることにより実現される。
【産業上の利用可能性】
【０１２４】
本発明による複数の情報処理装置が接続されてなる情報処理システムは、上記実施例におけるごとくの磁気ディスク装置を用いた情報処理システムに限られず、他の様々な情報処理システムに応用することが可能である。【０１２５】
すなわち本発明による複数の情報処理装置が接続されてなる情報処理システムを、例えばハードディスク装置、ＭＯ（Ｍａｇｎｅｔ  Ｏｐｔｉｃａｌ  ｄｉｓｋ）装置、ＤＶＤ（Ｄｉｇｉｔａｌ  Ｖｅｒｓａｔｉｌｅ  Ｄｉｓｃ）装置等（それぞれが本発明における情報処理装置に対応する）を組み合わせて用いる情報記憶システムとしての情報処理システム、複数のデータ処理端末装置等（それぞれが本発明における情報処理装置に対応する）が組み合わされて構築された情報処理システム等に応用することが可能である。【０１２６】
また本発明による複数の情報処理装置が接続されてなる情報処理システムを、ホームネットワークにおいて各家電製品等（それぞれが本発明における情報処理装置に対応する）を集中して制御する情報処理システムに応用することが可能である。【０１２７】
更に、上記本発明の実施例では各情報処理装置に送信する送信信号として光信号を使用し、各情報処理装置を特定するためのアドレスデータに対応するアドレスレベルとして光信号の強度レベルを使用していたが、このような構成に限定する必要はない。【０１２８】
すなわち、例えば各情報処理装置を特定するためのアドレスデータに対応するアドレスレベルとして光信号の波長を使用することも可能である。【０１２９】
また、上記送信信号を電気信号とし、各情報処理装置を特定するためのアドレスデータに対応するアドレスレベルとして電気信号の電圧レベル或いは周波数を使用することが可能である。
【図１】
2009084107.tif 000003
【図２】
2009084107.tif 000004
【図３】
2009084107.tif 000005
【図４】
2009084107.tif 000006
【図５】
2009084107.tif 000007
【図６】
2009084107.tif 000008
【図７】
2009084107.tif 000009
【図８】
2009084107.tif 000010
【図９】
2009084107.tif 000011
【図１０】
2009084107.tif 000012
【図１１】
2009084107.tif 000013
【国際調査報告】
2009084107.tif 000014
2009084107.tif 000015